(57)【要約】【課題】番組表上の座標と番組の識別子とを対応づけて記憶することなく、番組表上の座標に基づいて番組を特定可能な情報処理装置を提供する。【解決手段】同一の放送局で放送される番組が放送される時刻順に配置された番組表上でユーザに指定された箇所の、番組表上の所定の点を原点とする座標系における座標を示す座標情報を取得する第１の手段と、座標情報のうち座標系の第１の座標軸上の値を示す第１の値に基づいて、番組表上の所定の箇所に対応する番組が放送される放送局を推定する第２の手段と、座標情報のうち、第１の座標軸と異なる第２の座標軸上の値を示す第２の値に基づいて、番組表上の所定の箇所に対応する番組が放送される時刻を推定する第３の手段と、第２の手段により推定された放送局と、第３の手段により推定された時刻とにより、番組表上の所定の箇所に対応する番組を特定する第４の手段とを有するように、情報処理装置を構成する。【選択図】図１
2009033478.tif 000002
【特許請求の範囲】
【請求項１】
番組表上でユーザに指定された箇所の、前記番組表上の所定の点を原点とする座標系における座標を示す座標情報と、ある放送局によって放送される番組が前記番組表上に占める領域を示す番組表情報とに基づいて、該箇所に対応する番組を特定することを特徴とする、情報処理装置。
【請求項２】
同一の放送局で放送される番組が放送される時刻順に配置された番組表上でユーザに指定された箇所の、前記番組表上の所定の点を原点とする座標系における座標を示す座標情報を取得する第１の手段と、
前記座標情報のうち、前記座標系の第１の座標軸上の値を示す第１の値に基づいて、前記番組表上の所定の箇所に対応する番組が放送される放送局を推定する第２の手段と、
前記座標情報のうち、前記第１の座標軸と異なる第２の座標軸上の値を示す第２の値に基づいて、前記番組表上の所定の箇所に対応する番組が放送される時刻を推定する第３の手段と、
前記第２の手段により推定された放送局と、前記第３の手段により推定された時刻とにより、前記番組表上の所定の箇所に対応する番組を特定する第４の手段とを有することを特徴とする、情報処理装置。
【請求項３】
共通する第１の属性を有する要素が一次元的に表現される第２の属性の順に配置された表上でユーザに指定された箇所の、前記表上の所定の点を原点とする座標系における座標を示す座標情報を取得する第１の手段と、
前記座標情報のうち、前記座標系の第１の座標軸上の値を示す第１の値に基づいて、前記表上の所定の箇所に対応する要素の第１の属性を推定する第２の手段と、
前記座標情報のうち、前記第１の座標軸と異なる第２の座標軸上の値を示す第２の値に基づいて、前記表上の所定の箇所に対応する要素の第２の属性を推定する第３の手段と、
前記第２の手段により推定された第１の属性と、前記第３の手段により推定された第２の属性とにより、前記表上の所定の箇所に対応する要素を特定する第４の手段とを有することを特徴とする、情報処理装置。
【請求項４】
前記特定された番組の前後の時刻に前記推定された放送局で放送される番組を表示部に選択可能に表示させる手段を更に有することを特徴とする、請求項２記載の情報処理装置。
【請求項５】
前記特定された番組の前後の日において、前記推定された時刻に前記推定された放送局で放送される番組を表示部に選択可能に表示させる手段を更に有することを特徴とする、請求項２または４に記載の情報処理装置。
【請求項６】
同一の放送局で放送される番組が放送される時刻順に配置された番組表上でユーザに指定された箇所の、前記番組表上の所定の点を原点とする座標系における座標を示す座標情報を取得する第１の手段と、
前記座標情報のうち、前記座標系の第１の座標軸上の値を示す第１の値を、各放送局で放送される番組が前記番組表上に占める領域の、前記第１の座標軸上の代表値と比較することにより、前記番組表上の所定の箇所に対応する番組が放送される放送局を推定する第２の手段と、
前記座標情報のうち、前記第１の座標軸と異なる第２の座標軸上の値を示す第２の値と、前記番組表に配置された前記番組のうち最初に放送されるものの放送時間と最後に放送されるものの放送時間とに基づいて、前記番組表上の所定の箇所に対応する番組が放送される時刻を推定する第３の手段と、
前記第２の手段により推定された放送局と、前記第３の手段により推定された時刻とにより、前記番組表上の所定の箇所に対応する番組を特定する第４の手段とを有することを特徴とする、情報処理装置。
【請求項７】
番組表上でユーザに指定された箇所の、前記番組表上の所定の点を原点とする座標系における座標を示す座標情報と、ある放送局によって放送される番組が前記番組表上に占める領域を示す番組表情報とに基づいて、該箇所に対応する番組を特定することを特徴とする、番組特定方法。
【発明の詳細な説明】
【技術分野】
【０００１】
本発明は、印刷物に記載された番組表上の番組を特定する情報処理装置に関する。
【背景技術】
【０００２】
放送番組の録画予約等を行うためには、対象となる番組を特定することが必要となる。番組を一覧で表示し、その中から番組を選択することが一般的に行われている。近年、放送番組受信装置が電子番組表を表示することができるようになっている。この場合、選択された番組は、番組ごとに一意に与えられる識別子により容易に特定することができる。
【０００３】
しかし、電子番組表が表示できない場合、電子番組表からの選択をユーザが好まない場合などにおいては、別の方法、例えば印刷物に記載された番組表に基づいて番組を特定することが必要となる。
【０００４】
印刷物に記載された番組表に基づいて番組を特定する方法は、従来からいくつかの方法が開示されている。特許文献１では、番組表上の座標と番組の識別子とを対応づけ、番組表上の所望する番組の座標を放送番組受信装置に入力することにより、その番組表においてその座標に記載された番組を特定する方法が開示されている。
【０００５】
【特許文献１】特開２００６−２０３３８１号公報
【発明の開示】
【発明が解決しようとする課題】
【０００６】
しかし、特許文献１に記載の方法では、番組表上の座標と番組の識別子とをすべて対応づけておかないと、番組を特定することができない。ある番組の番組表上の座標は、番組表ごとに異なるため、そのような対応づけをすべての番組表について用意することは、きわめて煩雑である。
【０００７】
そこで、本発明は、番組表上の座標と番組の識別子とを対応づけて記憶することなく、番組表上の座標に基づいて番組を特定可能な情報処理装置を提供することを目的とする。
【課題を解決するための手段】
【０００８】
本発明の第１の情報処理装置は、番組表上でユーザに指定された箇所の、前記番組表上の所定の点を原点とする座標系における座標を示す座標情報と、ある放送局によって放送される番組が前記番組表上に占める領域を示す番組表情報とに基づいて、該箇所に対応する番組を特定することを特徴とする。
【０００９】
本発明の第２の情報処理装置は、同一の放送局で放送される番組が放送される時刻順に配置された番組表上でユーザに指定された箇所の、前記番組表上の所定の点を原点とする座標系における座標を示す座標情報を取得する第１の手段と、前記座標情報のうち、前記座標系の第１の座標軸上の値を示す第１の値に基づいて、前記番組表上の所定の箇所に対応する番組が放送される放送局を推定する第２の手段と、前記座標情報のうち、前記第１の座標軸と異なる第２の座標軸上の値を示す第２の値に基づいて、前記番組表上の所定の箇所に対応する番組が放送される時刻を推定する第３の手段と、前記第２の手段により推定された放送局と、前記第３の手段により推定された時刻とにより、前記番組表上の所定の箇所に対応する番組を特定する第４の手段とを有することを特徴とする。
【００１０】
本発明の第３の情報処理装置は、共通する第１の属性を有する要素が一次元的に表現される第２の属性の順に配置された表上でユーザに指定された箇所の、前記表上の所定の点を原点とする座標系における座標を示す座標情報を取得する第１の手段と、前記座標情報のうち、前記座標系の第１の座標軸上の値を示す第１の値に基づいて、前記表上の所定の箇所に対応する要素の第１の属性を推定する第２の手段と、前記座標情報のうち、前記第１の座標軸と異なる第２の座標軸上の値を示す第２の値に基づいて、前記表上の所定の箇所に対応する要素の第２の属性を推定する第３の手段と、前記第２の手段により推定された第１の属性と、前記第３の手段により推定された第２の属性とにより、前記表上の所定の箇所に対応する要素を特定する第４の手段とを有することを特徴とする。
【００１１】
本発明の第４の情報処理装置は、同一の放送局で放送される番組が放送される時刻順に配置された番組表上でユーザに指定された箇所の、前記番組表上の所定の点を原点とする座標系における座標を示す座標情報を取得する第１の手段と、前記座標情報のうち、前記座標系の第１の座標軸上の値を示す第１の値を、各放送局で放送される番組が前記番組表上に占める領域の、前記第１の座標軸上の代表値と比較することにより、前記番組表上の所定の箇所に対応する番組が放送される放送局を推定する第２の手段と、前記座標情報のうち、前記第１の座標軸と異なる第２の座標軸上の値を示す第２の値と、前記番組表に配置された前記番組のうち最初に放送されるものの放送時間と最後に放送されるものの放送時間とに基づいて、前記番組表上の所定の箇所に対応する番組が放送される時刻を推定する第３の手段と、前記第２の手段により推定された放送局と、前記第３の手段により推定された時刻とにより、前記番組表上の所定の箇所に対応する番組を特定する第４の手段とを有することを特徴とする。
【００１２】
本発明の番組特定方法は、番組表上でユーザに指定された箇所の、前記番組表上の所定の点を原点とする座標系における座標を示す座標情報と、ある放送局によって放送される番組が前記番組表上に占める領域を示す番組表情報とに基づいて、該箇所に対応する番組を特定することを特徴とする。
【発明の効果】
【００１３】
本発明によれば、番組表上の座標と番組の識別子とを対応づけて記憶することなく、番組表上の座標に基づいて番組を特定可能な情報処理装置を提供することができる。
【発明を実施するための最良の形態】
【００１４】
以下、図面を参照して本発明を実施するための最良の形態について詳細に説明する。本発明は、一般的に要素を表状の配置された印刷物を用いて指定された要素を特定するためのものであるが、本実施形態では、放送番組の情報を表状に配置して印刷された番組表を用いて番組を特定するための情報処理装置を例として説明する。
【００１５】
まず、本実施形態の情報処理装置の概略を説明する。情報処理装置は、番組に対して、一意に識別可能な識別子を関連づけて記憶している。ユーザは、番組表を座標入力手段に重ね、所望の、例えば録画予約等の処理を希望する番組をポイントすることで指定する。座標入力手段は、ユーザにポイントされた箇所の座標を取得する。情報処理装置は、座標入力手段に入力される座標により、番組を特定するものである。
【００１６】
図１は、本発明の実施形態の情報処理装置を説明するためのブロック図である。図１を参照すると、本実施形態の情報処理装置は、例えばビデオ録画装置であり、制御手段１０、座標入力手段２０と記憶手段３０を有する。
【００１７】
制御手段１０は、例えばマイクロプロセッサであり、例えばタブレットにより構成される座標入力手段２０により取得した座標情報と例えばハードディスクドライブにより構成される記憶手段３０に記憶される番組表情報３１とに基づいて、記憶手段３０に記憶された番組情報３２から番組を特定し、例えば液晶ディスプレイ装置で構成される図示しない表示部に表示情報を出力する。
【００１８】
制御手段１０は、さらに、座標入力手段２０より座標情報を取得する座標情報取得部１１、取得した座標情報に基づいて放送局を推定する放送局推定部１２、取得した座標情報に基づいて放送時刻を推定する放送時刻推定部１３、推定された放送局と放送時刻とに基づいて番組を特定する番組特定部１４とを有する。
【００１９】
図２は、本実施形態において記憶手段３０に記憶される番組表情報３１を示す図である。図２を参照すると、番組表情報３１は、チャンネルごとの番組表上に占める領域を座標で特定するように構成されている。例えば、番号２のＨＮＫ・教育の番組は、番組表の左右方向で１２２と１９７との間であって、上４２から下３１７までの間に配置されていることがわかる。なお、この例では左右方向にチャンネルが、上下方向に時刻が並ぶよう配置されているが、これと逆に左右方向に時刻が、上下方向にチャンネルが並ぶように配置してもよい。このような番組表情報３１は、例えば各チャンネルについて、番組表上に占める領域の左上と右下の座標をそれぞれ順次座標入力手段２０に入力するよう図示しない表示部に表示情報を出力し、ユーザに促すことによって取得することができる。
【００２０】
図３は、本実施形態において記憶手段３０に記憶される番組情報３２を示す図である。図３に示す番組情報３２は、２月１日から２月３日までの、１９時から２１時頃のＨＮＫ・教育の番組に関する。すなわち、番組ＩＤごとの番組について、チャンネル・開始時間・終了時間・番組名を記憶したものである。これによると、２月２日の２０：３０頃、ＨＮＫ・教育では、「中国語会話」が放送されることを知ることができる。このような番組情報３２は、例えば図示しない放送波受信手段や、図示しないネットワーク通信手段を介して、外部サーバから取得することができる。
【００２１】
図４は、番組表と重ねられた座標入力手段２０に対して、ユーザが所望の番組をポイントして座標入力する状況を示す図である。図４を参照すると、ユーザは、ＨＮＫ・教育で２０時台に放送される「中国語会話」をポイントしていることがわかる。このとき、座標入力手段２０は、番組表上の所定の点を原点とした座標系におけるポイントされた箇所を示す座標情報を出力する。図４でポイントされた箇所の座標を、ここでは（１５８，２３０）とする。
【００２２】
図５は、本実施形態の情報処理装置が座標情報と番組表情報とに基づいて番組を特定するときの動作を説明する流れ図である。図５を参照すると、座標情報取得部１１は、座標入力手段２０より座標情報を取得する（ステップＳ１）。本実施例においては、座標情報は上述のとおり（１５８，２３０）である。
【００２３】
次に、放送局推定部１２は、取得された座標情報に基づいて放送局を推定する（ステップＳ２）。取得された座標情報が（１５８，２３０）のとき、左右方向の座標である１５８と記憶手段３０に記憶された番組表情報とを参照すると、左右方向で１２２から１９７までを占めるＨＮＫ・教育に対応していることがわかる。このように、放送局推定部１２は、取得された座標情報に対応する放送局をＨＮＫ・教育と推定することができる。
【００２４】
次に、放送時刻推定部１３は、取得された座標情報に基づいて放送時刻を推定する（ステップＳ３）。ここで、番組表上、番組が上下方向に線形に配置されているとして、放送時刻を推定する。すなわち、番組表最上部からポイントされた座標までの距離を番組表最上部から番組表最下部までの距離で除することで、ポイントされた座標の番組表における相対的な位置を得ることができる。最上部から最下部までが２４時間に対応しているとすると、これに２４を乗ずることにより、最上部の時刻からポイントされた座標に対応する時刻までの時間を求めることができる。これに最上部に対応する時刻を加えると、ポイントされた座標に対応する時刻が推定される。
【００２５】
具体的には、取得された座標情報が（１５８，２３０）であり、番組表上、ＨＮＫ・教育の領域の最上部は４２、最下部は３１７である。よって、最上部の時刻から取得された座標に対応する時刻までの時間は、（２３０−４２）／（３１７−４２）＊２４≒１６．４時間である。最上部に４時からの番組が配置されているとすると、取得された座標に対応する時刻は、およそ２０時２４分と推定することができる。
【００２６】
次に、番組特定部１４は、ステップＳ２で推定された放送局とステップＳ３で推定された放送時刻とに基づいて、取得された座標情報に対応する番組を特定する（ステップＳ４）。具体的には、取得された座標情報（１５８，２３０）に対し、放送局がＨＮＫ・教育、放送時刻が２０時２４分と推定されたので、これらに基づいて番組情報３２を検索する。
【００２７】
対象となる日付を特定する必要があるが、番組特定部１４が図示しない時計手段からステップＳ４を実行している日付を取得する、図示しないユーザインタフェース手段によりユーザが日付を指定するなどの方法によって特定することができる。ここで、対象となる番組の日付が２月２日であるとすると、２月２日２０時２４分を開始時間と終了時間の間に含むＨＮＫ・教育の番組として、番組ＩＤ４２４１４１３の「英会話」が特定される。
【００２８】
次に、制御手段１０は、ステップＳ４で特定された、取得された座標情報に対応する番組の周辺の番組を検索する（ステップＳ５）。本実施例では、特定された番組ＩＤ４２４１４１３の「英会話」の周辺の番組として、同じ日の同じ放送局で前後の時刻に放送される、番組ＩＤ４２４１４１２の「天災ラジオＭＡＮ」と番組ＩＤ４２４１４１４の「中国語会話」、同じ放送局の同じ時刻を含んで前後の日に放送される、番組ＩＤ４２４１３５６の「仏蘭西語会話」と番組ＩＤ４２４１４６８の「伊太利語会話」を、番組情報３２より検索する。
【００２９】
続いて、制御手段１０は、ステップＳ４で特定された、取得された座標情報に対応する番組と、ステップＳ５で検索されたその周辺の番組とを、図示しない表示部に表示させる（ステップＳ６）。図６は、本実施例において表示部に表示される画面を示す図である。図６を参照すると、ステップＳ５で検索された、同じ放送局の、前後の時刻の番組と前後の日の番組とが、ユーザに選択可能に表示されており、ユーザは容易に所望の番組を選択することができる。
【図面の簡単な説明】
【００３０】
【図１】本発明の実施形態の情報処理装置を説明するためのブロック図である。
【図２】本実施形態において記憶手段に記憶される番組表情報を示す図である。
【図３】本実施形態において記憶手段に記憶される番組情報を示す図である。
【図４】番組表と重ねられた座標入力手段に対しユーザが所望の番組をポイントして座標入力する状況を示す図である。
【図５】本実施形態の情報処理装置が番組を特定するときの動作を説明する流れ図である。
【図６】本実施例において表示部に表示される画面を示す図である。
【符号の説明】
【００３１】
１０  制御手段
１１  座標情報取得部
１２  放送局推定部
１３  放送時刻推定部
１４  番組特定部
２０  座標入力手段
３０  記憶手段
【図１】
2009033478.tif 000003
【図２】
2009033478.tif 000004
【図３】
2009033478.tif 000005
【図４】
2009033478.tif 000006
【図５】
2009033478.tif 000007
【図６】
2009033478.tif 000008